(57)【要約】【課題】周囲に居る者に対して迷惑をかけることなく、就寝者を確実かつ快適に目覚めさせることができ、また、スヌーズスイッチ部に煩わされることなく安眠ができ、さらに、スヌーズスイッチ部の作動停止が容易な目覚機能付枕を提供する。【解決手段】  本目覚機能付枕は、就寝者の頭部を保持する枕本体と、この枕本体に収容され頭部に振動を与える振動装置と、この振動装置を所定の時刻に作動させるタイマ手段と、振動装置にスヌーズ機能を発生させるスヌーズ機能発生手段と、スヌーズ機能発生手段の作動を停止させ、枕本体の表側周辺部、側部あるいは底部側に設けられたスヌーズスイッチ部を有する。【選択図】  図２
2006034465.tif 000002
【特許請求の範囲】
【請求項１】
就寝者の頭部を保持する枕本体と、この枕本体に収容され前記頭部に振動を与える振動装置と、この振動装置を所定の時刻に作動させるタイマ手段と、前記振動装置にスヌーズ機能を発生させるスヌーズ機能発生手段と、スヌーズ機能発生手段の作動を停止させ、枕本体の表側周辺部、側部あるいは底部側に設けられたスヌーズスイッチ部を有することを特徴とする目覚機能付枕。
【請求項２】
就寝者の頭部を保持する枕本体と、この枕本体に収容され前記頭部に振動を与える振動装置と、前記枕本体と別個に設けられ、制御信号送信手段により送信された信号を受信し、前記振動装置を所定の時刻に作動させるタイマ手段及びスヌーズ機能発生手段を有するコントローラと、このコントローラと前記振動装置に給電する別個の電源部を有することを特徴とする目覚機能付枕。
【請求項３】
前記枕本体には、振動装置停止用のスイッチ部と、スヌーズ機能発生手段停止用のスヌーズスイッチ部が設けられることを特徴とする請求項１または２に記載の目覚機能付枕。
【請求項４】
前記コントローラには、振動装置停止用のスイッチ部と、スヌーズ機能発生手段停止用のスヌーズスイッチ部が設けられることを特徴とする請求項２に記載の目覚機能付枕。
【請求項５】
前記枕本体あるいは前記コントローラには、１度目の操作で、スヌーズ機能発生手段を停止させ、２度目の操作で振動装置の振動を停止させるスヌーズスイッチ部が設けられることを特徴とする請求項１または請求項２に記載の目覚機能付枕。
【請求項６】
前記枕本体の短辺側周辺部には、２個のスヌーズ機能停止用のスヌーズスイッチ部が設けられ、いずれか１個のスヌーズスイッチを操作することでスヌーズ機能を停止させ、２個のスヌーズスイッチ部を同時に操作することにより、振動装置の振動を停止させることを特徴とする請求項１または請求項２に記載の目覚機能付枕。
【請求項７】
前記枕本体には、目覚機能使用時、頭部により強く衝撃を与えることで作動し、スヌーズ機能発生手段を停止させるスヌーズスイッチ部が内装されていることを特徴とする請求項１ないし３のいずれか１項に記載の目覚機能付枕。
【請求項８】
前記振動装置停止用の操作部は、枕本体の裏側に設けられ、前記スヌーズ機能発生手段停止用の操作部は、枕本体の表側周辺部に設けられることを特徴とする請求項３に記載の目覚機能付枕。
【請求項９】
前記スヌーズ機能発生手段の動作中に光を発する発光素子が設けられることを特徴とする請求項１ないし８のいずれか１項に記載の目覚機能付枕。
【請求項１０】
目覚音を発生するスピーカ及びこのスピーカの作動可能状態あるいは不可能状態を切り換える切替スイッチが設けられることを特徴とする請求項１ないし９のいずれか１項に記載の目覚機能付枕。
【請求項１１】
前記切替スイッチは、就寝者の頭部が枕本体に保持されていることを検知するスイッチであることを特徴とする請求項１０に記載の目覚機能付枕。
【発明の詳細な説明】
【技術分野】
【０００１】
本発明は目覚機能付枕に係わり、特にスヌーズ機能及び頭部に振動を与える振動装置を有する目覚機能付枕に関する。
【背景技術】
【０００２】
一般に確実な目覚めのために目覚時計が用いられているが、大きな音を発生するため、周囲に居る者に対して迷惑がかかる。
【０００３】
そこで、偏心モータにより回転駆動される振動子をマットレスに組み込み、振動子により振動を起こさせ、就寝者の身体に振動刺激を与えて目覚めさせる提案がなされている（特許文献１）。また、枕に電気モータを組み込み、この電気モータにより振動板を振動させ、この振動により就寝者の頭部に振動刺激を与え目覚めさせる提案がなされている（特許文献２）。
【０００４】
しかし、特許文献１及び特許文献２の目覚マットレス及び目覚枕は、モータを用いるため装置が大掛かりになり、また、モータを用いるため商用電源が必要になるため、取り扱いが不便であり、さらに、使用場所が限定される。また、スヌーズ機能が設けられていないので、就寝者は目覚めに失敗することがある。
【特許文献１】特開２００３−１４８７４号公報
【特許文献２】特開２００３−２９００１４号公報
【発明の開示】
【発明が解決しようとする課題】
【０００５】
本発明は上述した事情を考慮してなされたもので、周囲に居る者に対して迷惑をかけることなく、就寝者を確実かつ快適に目覚めさせることができ、また、スヌーズスイッチ部に煩わされることなく安眠ができ、さらに、スヌーズスイッチ部の作動停止が容易な目覚機能付枕を提供することを目的とする。
【課題を解決するための手段】
【０００６】
上述した目的を達成するため、本発明に係る目覚機能付枕は、就寝者の頭部を保持する枕本体と、この枕本体に収容され前記頭部に振動を与える振動装置と、この振動装置を所定の時刻に作動させるタイマ手段と、前記振動装置にスヌーズ機能を発生させるスヌーズ機能発生手段と、スヌーズ機能発生手段の作動を停止させ、枕本体の表側周辺部、側部あるいは底部側に設けられたスヌーズ機能停止手段を有することを特徴とする。
【０００７】
また、目覚機能付枕は、就寝者の頭部を保持する枕本体と、この枕本体に収容され前記頭部に振動を与える振動装置と、前記枕本体と別個に設けられ、制御信号送信手段により送信された信号を受信し、前記振動装置を所定の時刻に作動させるタイマ手段及びスヌーズ機能発生手段を有するコントローラと、このコントローラと前記振動装置に給電する別個の電源部を有することを特徴とする。
【発明の効果】
【０００８】
本発明に係る目覚機能付枕によれば、周囲に居る者に対して迷惑をかけることなく、就寝者を確実かつ快適に目覚めさせることができまた、スヌーズスイッチ部に煩わされることなく安眠ができ、さらに、スヌーズスイッチ部の作動停止が容易な目覚機能付枕を提供することができる。
【発明を実施するための最良の形態】
【０００９】
以下、本発明に係る目覚機能付枕の第１実施形態について添付図面を参照して説明する。
【００１０】
図１は本発明の第１実施形態に係る目覚機能付枕の概念図、図２はその断面図である。
【００１１】
図１及び図２に示すように、本第１実施形態に係る目覚機能付枕１は、就寝者の頭部を保持する枕本体２と、この枕本体２に収容され頭部に振動を与える骨伝導式の振動装置３と、この振動装置３を所定の時刻に作動させ電子回路で形成されるタイマ手段４及び振動装置３にスヌーズ機能を発生させるスヌーズ機能発生手段５からなるコントローラ６と、目覚時刻入力ボタン７及び時刻表示部８、振動装置３とコントローラ６、時刻表示部８に給電する電源例えば電池９を有している。
【００１２】
また、枕本体２には、この枕本体２の底部側例えば裏側に設けられ、振動装置３の振動を停止させるすなわち目覚機能を停止させる目覚スイッチ部３ａが設けられ、さらに、枕本体２の表側周辺部にスヌーズ機能発生手段５の働きを停止させるスヌーズスイッチ部５ａが設けられている。なお、このスヌーズスイッチ部は、表側周辺部に限らず、側部あるいは、底部側すなわち底板の内側または外側に設けてもよく、頭部がスヌーズスイッチ部の操作に邪魔にならない位置であればよい。このように、スヌーズスイッチ部は頭に触れない位置に設けられているので、就寝者はスヌーズスイッチ部に煩わされることなく安眠ができる。
【００１３】
さらに、枕本体２の表側周辺部には、スヌーズ機能発生手段５の動作中に光を発する発光素子１０が設けられている。また、枕本体２の側部には、目覚音を発生するスピーカ１１及びこのスピーカ１１の作動可能状態あるいは不可能状態を切り換える切替スイッチ１２が設けられており、この切替スイッチ１２は、就寝者の頭部が枕本体２に保持されていることを検知するスイッチである。
【００１４】
図３に示すように、振動装置３は、例えば、頭部に密接して頭部に振動を伝える振動子３ｂと、タイマ手段４からの目覚信号に基づく電気信号を振動に変え、振動子３ｂを振動させる圧電素子３ｃを有している。
【００１５】
上記スヌーズ機能発生手段５は、タイマ手段４に用いられる電子回路の一部と必要な素子によって形成され、目覚時刻の一定時間経過後、繰り返し振動装置３を振動させ、繰り返しの振動毎に振動が大きくなるスヌーズ機能を発生させる。
【００１６】
なお、本第１実施形態では、電源として移動性、使用場所の自由度の点から電池の例で説明したが、電線を用いる商用電源などを用いてもよい。
【００１７】
また、枕本体には適宜装脱自在にカバーを設けてもよく、このカバーを介して、あるいはカバーを介さず直接、各スイッチを操作するようにしてもよい。
【００１８】
次に本第１実施形態の使用方法について説明する。
【００１９】
就寝者は時刻表示部８を見ながら、目覚時刻入力ボタン７により、目覚時刻を入力すると、時刻表示部８に目覚時刻が表示され、必要があれば、スヌーズスイッチ部５ａを操作して、スヌーズ機能が働くようにすると、時刻表示部８にスヌーズ機能ＯＮが表示される。このとき、発光素子１０はＯＦＦ状態である。
【００２０】
図４に示すように、しかる後、就寝者は頭部を枕本体２に乗せて保持し、眠りにつく。
【００２１】
目覚時刻になると、タイマ手段４により、振動装置３が作動し、圧電素子３ｂを振動させて、振動子３ｂを振動させる。この振動子３ｂと密接状態にある就寝者の頭部に骨伝導により振動が直接伝わり、就寝者は目覚める。
【００２２】
就寝者が速やかに起きる場合には、目覚スイッチ部３ａを操作して、目覚機能付枕１をＯＦＦ状態にする。このＯＦＦ状態で発光素子１０のＯＦＦ状態が継続される。
【００２３】
就寝者がうたた寝を楽しむ場合には、スヌーズスイッチ部５ａを操作して、スヌーズ機能発生手段５を停止させる。この操作により、振動装置３の振動は停止し、発光素子１０はＯＮ状態になる。このスヌーズスイッチ部５ａの操作は、スヌーズスイッチ部５ａが枕本体２の表側周辺部に設けられているので、その操作が容易である。
【００２４】
目覚時刻の一定時間経過後、例えば５分経過後、再度振動装置３が振動し、振動子３ｂと密接状態にある就寝者の頭部に骨伝導により振動が直接伝わり、就寝者を再度目覚めさせる。就寝者が起きる場合には、目覚スイッチ部３ａを操作して、目覚機能付枕１をＯＦＦ状態にし、発光素子１０をＯＦＦ状態にする。発光素子１０のＯＦＦ状態により、ＯＮ状態のまま、放置されることがなく、電池を長持ちさせることができる。
【００２５】
さらに、就寝者がうたた寝を楽しむ場合には、スヌーズスイッチ部５ａを操作して、スヌーズ機能発生手段５させ、発光素子１０はＯＮ状態を継続する。
【００２６】
目覚時刻の一定時間経過後、例えば１０分経過後、また振動装置３が、前回よりも大きく振動し、振動子３ｂと密接状態にある就寝者の頭部に骨伝導により振動が直接伝わり、就寝者を再度目覚めさせる。就寝者が起きる場合には、目覚スイッチ部３ａを操作して、目覚機能付枕１をＯＦＦ状態にし、発光素子１０をＯＦＦ状態にする。以下同様のスヌーズ行為がなされる。このように、スヌーズ機能が設けられているので、就寝者は快適に目覚めることができる。
【００２７】
就寝者が寝相が悪く、就寝中、枕を外すおそれがある場合には、切替スイッチ１２を操作して、就寝中に頭が枕本体２から外れた場合には、目覚時刻にスピーカ１１から目覚音を発生させるようにしてもよく、さらに、切替スイッチを就寝者の頭部が枕本体に保持されていることを検知する例えば押圧力検出スイッチとし、このスイッチを枕本体の中央部に設ければ、予め切り換えておくことなく、スピーカから目覚音を発生させることができる。
【００２８】
上記のように本第１実施形態によれば、周囲に居る者に対して迷惑をかけることなく、就寝者を確実かつ快適に目覚めさせることができ、また、スヌーズスイッチ部の操作は、容易であり、さらに、スヌーズスイッチ部が頭部に触れないので、就寝者はスヌーズスイッチ部に煩わされることなく安眠ができる。
【００２９】
また、本発明に係る目覚機能付枕の第２実施形態について説明する。
【００３０】
上記第１実施形態がタイマ手段及びスヌーズ機能発生手段を枕本体に収容するのに対して、本第２実施形態はタイマ手段及びスヌーズ機能発生手段を有するコントローラが枕本体と別個に設けられる。
【００３１】
例えば、図５に示すように、本第２実施形態の目覚機能付枕１Ａは、枕本体２Ａと、タイマ手段４Ａ、スヌーズ機能発生手段５Ａ、電池９Ａｂ、目覚スイッチ部３Ａａ、スヌーズスイッチ部５Ａａを有するコントローラ６Ａが別個に設けられ、コントローラ６Ａに設けられた制御信号送信手段６Ａａにより送信された信号を制御信号受信手段３Ａｄにより受信し、振動装置３Ａを所定の時刻に作動させるようになっている。
【００３２】
従って、目覚スイッチ部３Ａａ及びスヌーズスイッチ部５Ａａを仰向きの状態で操作でき便利である。なお、他の構成は図１に示す目覚機能付枕と異ならないので、同一符号を付して説明は省略する。
【００３３】
また、本発明に係る目覚機能付枕の第３実施形態について説明する。
【００３４】
上記第１実施形態が目覚スイッチ部及びスヌーズスイッチ部を設けるのに対して、本第３実施形態は両スイッチ部を兼用させたスイッチを設ける。
【００３５】
例えば、図６に示すように、本第３実施形態の目覚機能付枕１Ｂは、枕本体あるいはコントローラに、１度目の操作で、スヌーズ機能発生手段を停止させ、２度目の操作で振動装置の振動を停止させるスヌーズスイッチ部５Ｂａが設けられている。
【００３６】
従って、スイッチ部を１個にすることができ、操作がし易く、枕を裏返すことなく振動装置の停止を行うことができ便利であり、さらに、安価である。
【００３７】
また、本発明に係る目覚機能付枕の第４実施形態について説明する。
【００３８】
上記第１実施形態は目覚スイッチ部が枕本体の裏面に、スヌーズスイッチ部が枕本体の周辺部に設けられるのに対して、本第４実施形態は枕本体の両周端部にスヌーズスイッチ部が２個設けられる。
【００３９】
例えば、図７に示すように、本第４実施形態の目覚機能付枕１Ｃは、枕本体２Ｃの側部例えば各短辺側周辺部には、１個ずつ全体で２個のスヌーズスイッチ部５Ｃａが設けられている。どちらか１個のスヌーズスイッチ部５Ｃａを操作することで一旦スヌーズ機能が停止し、２個のスヌーズスイッチ部を同時に操作することにより、振動装置の機能を停止させることができるようになっている。なお、スヌーズスイッチ部は短辺側周辺部の柔らかい部分に取り付け同時につまむようにしてもよい。
【００４０】
従って、振動装置の機能の停止は同時に２個のスヌーズスイッチ部を操作することで行え、また、振動装置の機能の停止は、枕を裏返すことなく行うことができ、便利である。
【００４１】
また、本発明に係る目覚機能付枕の第５実施形態について説明する。
【００４２】
上記第１実施形態がスヌーズスイッチ部を手で操作するのに対して、本第５実施形態は頭部の力で作動するスヌーズスイッチ部を枕本体に設ける。
【００４３】
例えば、図８に示すように、本第５実施形態の目覚機能付枕１Ｄは、就寝者が目覚時刻を入力し目覚機能使用時、枕本体２Ｄには、頭部により強く衝撃を与えることで作動し、スヌーズ機能発生手段５Ｄを停止させるスヌーズスイッチ部５Ｄａが内装されている。従って、スヌーズ機能停止はスヌーズスイッチ部を手操作で行う必要がなく、便利である。
【図面の簡単な説明】
【００４４】
【図１】本発明の第１実施形態に係る目覚機能付枕の概念図。
【図２】本発明の第１実施形態に係る目覚機能付枕の断面図。
【図３】本発明の第１実施形態に係る目覚機能付枕に用いられる振動装置の概念図。
【図４】本発明の第１実施形態に係る目覚機能付枕の使用状態を示す概念図。
【図５】本発明の第２実施形態に係る目覚機能付枕の概念図。
【図６】本発明の第３実施形態に係る目覚機能付枕の概念図。
【図７】本発明の第４実施形態に係る目覚機能付枕の概念図。
【図８】本発明の第５実施形態に係る目覚機能付枕の概念図。
【符号の説明】
【００４５】
１  目覚機能付枕
２  枕本体
３  振動装置
３ａ  目覚スイッチ部
４  タイマ手段
５  スヌーズ機能発生手段
５ａ  スヌーズスイッチ部
７  目覚時刻入力ボタン
８  時刻表示部
９  電池
１０  発光素子
１１  スピーカ
１２  切替スイッチ
【図１】
2006034465.tif 000003
【図２】
2006034465.tif 000004
【図３】
2006034465.tif 000005
【図４】
2006034465.tif 000006
【図５】
2006034465.tif 000007
【図６】
2006034465.tif 000008
【図７】
2006034465.tif 000009
【図８】
2006034465.tif 000010